(57)【要約】【課題】人体に対して、充電された炭層からの電荷力によって、また炭の遠赤外線効果や人体帯電を除電することによる体調不良の改善・防止を図ることができる敷具を提供する。【解決手段】敷具１０は、炭マット１２の炭層１４内に、アース線２６の導線２４が配設されており、前記炭マット１２の人体側（上面１２Ａ）以外の５面が、アルミ反射シート１６と、絶縁性及び断熱性を有する外装材１８で覆われた構造となっている。前記アース線２６をアース端子コンセント３６に接続してアースすると、前記炭層１４に地電位が充電されイオンの増射によって、また上面１２Ａ側に炭の遠赤外線が効率良く集中放射し、更に人体帯電気が前記通電性布カバー２２及び除電シート２０を介して炭層１４に逃げるため、体調不良の改善及び予防を図ることができる。【選択図】図１
2010000302.tif 000002
【特許請求の範囲】
【請求項１】
人体の少なくとも一部を受ける敷具であって、
炭の充填によって炭層が形成された炭マット，
導線の一部が前記炭層内に配設されており、前記炭マットから外部に引き出された部分を介して接地されるアース線，
前記炭マットの人体側以外の面を被覆するアルミ反射シート，
該アルミ反射シートの外側を同範囲で被覆しており、絶縁性及び断熱性を有する外装材，
前記炭マットの人体側の面に設けられた除電シート，
該除電シートの上に設けられた通電性の布カバー，
を備えたことを特徴とする敷具。
【請求項２】
前記炭層が、炭以外の充填物を含むことを特徴とする請求項１記載の敷具。
【請求項３】
前記炭以外の充填物が、ゼオライトであることを特徴とする請求項２記載の敷具。
【請求項４】
前記炭マットが６面体であって、人体側以外の５面を、前記アルミ反射シート及び外装材で被覆したことを特徴とする請求項１〜３のいずれかに記載の敷具。
【請求項５】
前記敷具が、寝具，座具，寝具及び座具の組み合わせ，のいずれかであることを特徴とする請求項１〜４のいずれかに記載の敷具。
【発明の詳細な説明】
【技術分野】
【０００１】
本発明は、寝具（枕を含む）や座具などとして利用される敷具に関し、更に具体的には、炭を利用した敷具に関するものである。
【背景技術】
【０００２】
地電位と建造物内での電位差が人体に与える悪影響を軽減するための技術として、例えば、下記特許文献１の寝具装置がある。該特許文献１によれば、炭類を充填してその内部に導電体を配設した炭マットを寝具の上面又は下面に設け、上記導電体を、アース線を介して地中にアースするとともに、前記炭マットの下にアルミ箔シートを敷設した寝具装置が開示されている。
【特許文献１】特開２００４−１１３２６６公報
【発明の開示】
【発明が解決しようとする課題】
【０００３】
しかしながら、以上のような背景技術には次のような不都合がある。まず、アース線から炭マット内に流れる地電流（電位）が、該炭マット内に充電される構造（すなわち絶縁環境）になっていないため地電流の殆どが逃げてしまう。このため、炭に電位が得られにくく、前記炭マットを利用する人の体内電位と地電位とのバランスを調整することが難しいという不都合がある。また、炭の遠赤外線は温度が３０℃程度に高まらないと効果が得られにくいが、前記特許文献１に記載の技術では、人体の熱量を保温できる構造がなく、炭マットの下に敷くアルミ箔シートは熱や電気（地電流）が逃げやすいため、炭の遠赤外線効果が十分に得られないという不都合がある。更に、絶縁建材（コンクリート材，化学加工材，合成繊維材など）に囲まれている現代建築環境においては、静電気障害という人体帯電を生じやすく、それが疲れやストレスの回復を妨げる要因になるが、上述した背景技術では、除電性を考慮した構造となってはいない。
【０００４】
本発明は、以上の点に着目したもので、その目的は、地電位が充電された炭層からの電荷力を高め、十分な遠赤外線効果、更に人体帯電の除電による体調不良の改善や防止を図ることができる敷具を提供することである。
【課題を解決するための手段】
【０００５】
前記目的を達成するため、本発明は、人体の少なくとも一部を受ける敷具であって、炭の充填によって炭層が形成された炭マット，導線の一部が前記炭層内に配設されており、前記炭マットから外部に引き出された部分を介して接地されるアース線，前記炭マットの人体側以外の面を被覆するアルミ反射シート，該アルミ反射シートの外側を同範囲で被覆しており、絶縁性及び断熱性を有する外装材，前記炭マットの人体側の面に設けられた除電シート，該除電シートの上に設けられた通電性の布カバー，を備えたことを特徴とする。
【０００６】
主要な形態の一つは、前記炭層が、炭以外の充填物を含むことを特徴とする。他の形態は、前記炭以外の充填物が、ゼオライトであることを特徴とする。更に他の形態は、前記炭マットが６面体であって、人体側以外の５面を、前記アルミ反射シート及び外装材で被覆したことを特徴とする。更に他の形態は、前記敷具が、寝具，座具，寝具及び座具の組み合わせのいずれかであることを特徴とする。本発明の前記及び他の目的，特徴，利点は、以下の詳細な説明及び添付図面から明瞭になろう。
【発明の効果】
【０００７】
本発明は、炭が充填された炭マットの人体側以外の面を、アルミ反射シートと絶縁性及び断熱性を有する外装材で被覆し、前記炭マットの炭層内に配設したアース線を接地して、前記炭層における地電位の充電と人体の熱量の保温を可能とした。このため、地電流の充電により炭の電荷力の増加や十分な遠赤外線が得られ、また、前記炭マットの人体側の面に除電シートと通電性の布カバーを設けることにより、炭層に人体の帯電気を逃がして体内電気信号の流れを円滑にし、体調を良好に保つことができる。
【発明を実施するための最良の形態】
【０００８】
以下、本発明を実施するための最良の形態を、実施例に基づいて詳細に説明する。
【実施例１】
【０００９】
最初に、図１を参照しながら本発明の実施例１を説明する。図１(A)は本実施例の敷具を一部破断して示す斜視図，図１(B)は前記(A)を＃Ａ−＃Ａ線に沿って切断し、矢印方向に見た断面図，図１(C)は使用状態の一例を示す断面図である。本実施例は、本発明の敷具を、床と敷布団の間に敷くマットレスに適用したものである。図１(A)及び(B)に示すように、本実施例の敷具１０は、炭層１４が形成された炭マット１２の内側に、アース線２６の導線２４が配設されており、前記炭マット１２の外側が、アルミ反射シート１６，外装材１８，除電シート２０，通電性布カバー２２によって覆われた構造となっている。
【００１０】
前記炭マット１２は、本実施例では６面体形状であって、前記炭層１４は、炭を主成分とする充填物によって形成されている。前記充填物としては、基本的には炭のみでよいが、本実施例では、前記炭に加えてゼオライトも利用されている。これら炭及びゼオライトは、例えば、粉末状や粒状である。このような炭マット１２は、人体を受ける上面１２Ａ以外の５面，すなわち、底面１２Ｂ，側面１２Ｃ〜１２Ｆ（１２Ｆは図示せず）が、アルミ反射シート１６によって覆われている。
【００１１】
また、前記アルミ反射シート１６の外側は、絶縁性及び断熱性を有する外装材１８によって覆われている。すなわち、前記外装材１８によって、前記炭マット１２の上面１２Ａ以外の範囲が覆われている。一方、人体を受ける前記上面１２Ａは、除電シート２０で覆われており、該除電シート２０の上には、通電性布カバー２２が設けられている。該通電性布カバー２２は、図示の例では、敷具１０の外側全体を覆っているが、これは一例であり、前記除電シート２０の上を被覆していればよい。なお、後述するように、前記炭層１４は、地電位を充電する都合上、ある程度の厚みを要する。
【００１２】
前記炭層１４をアース（接地）するためのアース線２６は、導線２４を被覆材２４Ａで被覆した構成となっているが、前記炭層１４の内側には、前記被覆材２４Ａで覆われていないむき出しの導線２４が配設されている。本実施例では、図１(A)に示すように、前記導線２４は略Ｕ字状に炭層１４に配設されている。また、前記アース線２６は、前記アルミ反射シート１６，外装材１８，通電性布カバー２２を貫通して、敷具１０の本体外部に引き出されている。
【００１３】
以上のような構成の敷具１０は、例えば、長さ２００ｃｍ，幅９０ｃｍ，高さ（厚み）８ｃｍに設定されており、図１(C)に示すように、建造物３０（例えば、家屋など）の床３２に敷かれ、その上に、敷布団３４などを敷いて利用される。そして、前記アース線２６を、室内の壁などに設けられたアース端子コンセント３６に接続することにより、前記アース端子コンセント３６に接続された他のアース線３８に接続され、地中４０にアース（接地）される。
【００１４】
次に、本実施例の作用を説明する。図１(C)に示すように、アース線２６，アース端子コンセント３６，アース線３８を介してアースすることにより、地電流が導線２４を流れ、絶縁性を有する外装材１８によって上面１２Ａ以外の５面が覆われた炭マット１２の炭層１４に地電位が充電される。電位を得られた炭層１４は、イオン力（電荷力）が高められ、磁場作用をもたらすと同時に、炭とゼオライトへ常時変動する地磁場変動によって炭の特性であるポーラス内に振動活動が働いて低周波を生じる。以上の働きによって、前記敷具１０の上に利用者が横たわったり座ったりすると、人体細胞が活性化し、血流等が促されて、体調を整える抗酸化作用が得られる。
【００１５】
また、前記敷具１０の利用者の体温は、断熱性を有する外装材１８で５面が覆われた炭マット１２の炭層１４に保温され、炭が遠赤外線効果を発揮する３０℃程度まで炭層１４の温度が高められる。このとき、前記炭マット１２の上面１２Ａ以外をアルミ反射シート１６によって覆っているため、前記上面１２Ａから人体面に遠赤外線を集中放射することができる。一方、疲労やストレスによって人体が帯電すると体調不良の原因の一つになるが、前記敷具１０は、炭マット上面１２Ａに除電シート２０と通電性布カバー２２を設けているため、前記炭層１４に人体帯電気が逃げる。このため、体内電気信号の円滑な流れを促し、良好な体調を保つことができる。また、既に体調不良の場合であっても、前記除電により体調の回復を図ることができる。本発明は、平成１９年〜２０年３月に日本大学医療工学研究室においての動物実験によって、抗酸化作用を有することが判明している。
【００１６】
このように、実施例１によれば、次のような効果がある。
(1)炭及びゼオライトが充填された炭マット１２の人体側（上面１２Ａ）以外の面を、アルミ反射シート１６と絶縁性及び断熱性を有する外装材１８で被覆し、前記炭マット１２の炭層１４にアース線２６の導線２４を配設するとともに、前記アース線２６を地中４０に接地（アース）することにより、地電流が炭層１４に十分に充電される。
(2)前記炭マット１２の上面１２Ａ以外の面を、断熱性を有する外装材１８で被覆することで保温可能としたので、炭の遠赤外線効果が得られるとともに、アルミ反射シート１６により、炭から放射された遠赤外線を人体へ集中放射することができる。
(3)炭マット１２の上面１２Ａを、除電シート２０及び通電性布カバー２２で覆うこととしたので、人体帯電気を炭層１４に逃がし、体内電気信号の流れを円滑にして、良好な体調を保つことができる。
(4)地電流が十分に充電された炭層１４からの電荷力・イオン力や、遠赤外線効果及び人体除電の効果により、血液循環や自律神経の働きを促し、抗酸化作用を得ることができる。
(5)炭マット１２の充填物として、炭に加えてゼオライトを用いることとしたので、イオンの増射という効果がある。
【００１７】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例では、炭マット１２を６面体としたが、これも一例であり、平袋の内側に充填物を充填したような形状であってもよいし、他の形状としてもよい。
(2)前記実施例で示した充填物も一例であり、炭のみを充填するようにしてもよい。
【００１８】
(3)前記実施例では、導線２４を略Ｕ字状に配設したが、これも一例であり、図２(B)に示す敷具１０Ａのように、導線２４を炭マット１２の内部につづら折り状に配設するなど、同様の効果を奏するように適宜設計変更してよい。
(4)前記実施例では、敷具１０を床３２と敷布団３４の間に敷くマットレスとして利用することとしたが、これも一例であり、図２(A)に示す例のように、ベッド５０に設けたマットレス５２の上に前記敷具１０を敷き、その上に、敷布団５４，掛布団５６，枕５８などを置くようにしてもよい。むろん、図２(A)に示す例も一例であり、敷具１０の上に直接寝るようにしてもよいし、敷具の形状を工夫して枕として利用するなど、本発明の敷具は、他の公知の各種の寝具や座具など、人体の少なくとも一部を受ける敷具全般に適用可能である。
【産業上の利用可能性】
【００１９】
本発明によれば、炭が充填された炭マットの人体側以外の面を、アルミ反射シートと絶縁性及び断熱性を有する外装材で被覆し、前記炭マットの炭層内に配設した導線を外部に引き出して接地するとともに、前記炭マットの人体側の面に除電シートと通電性布カバーを設けることとした。これにより、前記炭層の地電位の充電と保温が可能になり、炭の電荷力の増加と遠赤外線効果が得られ、更に、人体の除電を瞬時に行うことによって、体調不良の改善や防止を図ることができるため、人体の少なくとも一部を受ける敷具の用途に適用できる。特に、一定時間以上利用する寝具用の敷具として好適である。
【図面の簡単な説明】
【００２０】
【図１】本発明の実施例１を示す図であり、(A)は敷具を一部破断して示す斜視図，(B)は前記(A)を＃Ａ−＃Ａ線に沿って切断し矢印方向に見た断面図，(C)は使用状態の一例を示す断面図である。
【図２】本発明の他の実施例を示す図である。
【符号の説明】
【００２１】
１０，１０Ａ：敷具
１２：炭マット
１２Ａ：上面
１２Ｂ：底面
１２Ｃ〜１２Ｆ：側面
１４：炭層
１６：アルミ反射シート
１８：外装材
２０：除電シート
２２：通電性布カバー
２４：導線
２４Ａ：被覆材
２６：アース線
３０：建造物
３２：床
３４：敷布団
３６：アース端子コンセント
３８：アース線
４０：地中
５０：ベッド
５２：マットレス
５４：敷布団
５６：掛布団
５８：枕
【図１】
2010000302.tif 000003
【図２】
2010000302.tif 000004